(57)【要約】【課題】本考案は、より水切り効果を高め、且つ平ほぞを加工した束柱の前記平ほぞの腐食を防止できる、ベランダ等の束柱の基礎に使用される通気構造を有する束石を提供することを目的とする。【解決手段】角錐台形状を有する束石１は御影石等の天然石から形成され、該束石１の上面中央に束柱Ａの平ほぞが嵌入する所要口径、所要深さのほぞ穴２を凹設する。前記ほぞ穴２の底面から垂直縦方向に貫通する垂直通気穴４を穿設し、該垂直通気穴４の下端部に束石１の外側面に連通する水平通気穴５を穿設してなる。前記ほぞ穴２の垂直縦方向に貫通する垂直通気穴４の途中に束石１の外側面に貫通する通気孔３を穿設する。前記ほぞ穴２の底部は、通気孔３、垂直通気穴４及び水平通気穴５と連通しているので、常に前記ほぞ穴２が外気に曝され、束柱Ａの平ほぞが外気に曝され乾燥される。【選択図】図５
0003120920.tif 000002
【実用新案登録請求の範囲】
【請求項１】
上面中央に所要口径、所要深さのほぞ穴を凹設してなる束石において、前記ほぞ穴の底面から束石の外側面に貫通する通気孔を穿設し、該通気孔の底面を外側面方向に向けて下り勾配面に形成してなることを特徴とする通気構造を有する束石。
【請求項２】
前記通気孔は、一側面から他側面に一直線となるように貫通形成してなることを特徴とする請求項１記載の通気構造を有する束石。
【請求項３】
上面中央に所要口径、所要深さのほぞ穴を凹設してなる束石において、前記ほぞ穴の底面から垂直縦方向に貫通する垂直通気穴を穿設し、該垂直通気穴の下端部に束石の外側面に連通する水平通気穴を穿設してなることを特徴とする通気構造を有する束石。
【請求項４】
さらに、前記ほぞ穴の垂直縦方向に貫通する垂直通気穴の途中に束石の外側面に貫通する通気孔を穿設し、該通気孔の底面を外側面方向に向けて下り勾配面に形成してなることを特徴とする請求項３記載の通気構造を有する束石。
【請求項５】
前記通気孔は、一側面から他側面に一直線となるように貫通形成してなることを特徴とする請求項４記載の通気構造を有する束石。
【考案の詳細な説明】
【技術分野】
【０００１】
本考案は、木造建築における床束の基礎構造に関し、特にベランダ等の束柱の基礎に使用される通気構造を有する束石に関する。
【背景技術】
【０００２】
従来、束石と束柱との接合構造として、束柱の下端に平ほぞを削り出し、該平ほぞを束石に凹設した掘削孔に嵌入するものや、束石に固定した羽子板を介して束柱を束石に接合するものなどがある（特許文献１を参照）。
前記平ほぞを加工した束柱の場合、長年使用すると雨水などが浸入して前記平ほぞが腐食し束柱の固定ができなくなる。
そこで、本出願人は、束柱の支持面に浸入する雨水などの水切りを達成する束石を考案した（特許文献２を参照）。
この考案は、上面中央に所要径、所要深さの掘削孔を凹設してなる束石において、前記上面に前記掘削孔から外周面に渡って所要数の水切り溝を刻設し、該水切り溝の底面を外周面に向けて下り勾配面に形成してなるものである。
【特許文献１】特許第３０４４２３７号公報
【特許文献２】登録実用新案第３０１７７９５号公報
【考案の開示】
【考案が解決しようとする課題】
【０００３】
本考案は、前記考案を改良し、より水切り効果を高め、且つ平ほぞを加工した束柱の前記平ほぞの腐食を防止できる、ベランダ等の束柱の基礎に使用される通気構造を有する束石を提供することを目的とする。
【課題を解決するための手段】
【０００４】
本考案の通気構造を有する束石は、上面中央に所要口径、所要深さのほぞ穴を凹設してなる束石において、前記ほぞ穴の底面から外側面に貫通する通気孔を穿設し、該通気孔の底面を外側面方向に向けて下り勾配面に形成してなるものである。
前記通気孔は、一側面から他側面に一直線となるように貫通形成してなるものである。
【０００５】
本考案の通気構造を有する束石は、上面中央に所要口径、所要深さのほぞ穴を凹設してなる束石において、前記ほぞ穴の底面から垂直縦方向に貫通する垂直通気穴を穿設し、該垂直通気穴の下端部に束石の外側面に連通する水平通気穴を穿設してなるものである。
さらに、前記ほぞ穴の垂直縦方向に貫通する垂直通気穴の途中に束石の外側面に貫通する通気孔を穿設し、該通気孔の底面を外側面方向に向けて下り勾配面に形成してなるものである。
前記通気孔は、一側面から他側面に一直線となるように貫通形成してなるものである。
【考案の効果】
【０００６】
本考案の通気構造を有する束石は、風雨に晒されるような渡り廊下、ベランダ等に使用しても、束石に形成した通気孔を介して束柱の平ほぞが空気乾燥されため、束柱が腐食することがない。
【考案を実施するための最良の形態】
【０００７】
本考案の通気構造を有する束石の一実施例を図面に基づいて、以下に説明する。
図１に示すように、角錐台形状を有する束石１は御影石等の天然石から形成され、該束石１の上面中央に束柱Ａの平ほぞが嵌入する所要口径、所要深さのほぞ穴２を凹設する。
前記ほぞ穴２には、束石１の外側面から前記ほぞ穴２の底面に連通する通気孔３を穿設する。
前記通気孔３は前記ほぞ穴部分からの排水を可能とするように通気孔３底面を外側面方向に向けて下り勾配面に形成する。
【０００８】
前記通気孔３は、図２に示すように、一側面から他側面に一直線となるように貫通形成すれば通気が良好となる。
前記通気孔３は、この実施例では対向する２側面の２箇所であるが、それぞれの４側面に形成して４箇所とすることもできる。
なお、この実施例では束石を角錐台形状としたが、角錐台形状に代えて円錐台形状としそれぞれ通気孔３を貫通形成することもできる。
【０００９】
束石１に束柱Ａを接合組立する場合は、図３に示すように、束石１のほぞ穴２に束柱Ａの平ほぞが嵌入され、束柱Ａが束石１に直立立設される。
前記ほぞ穴の底部は、通気孔３と連通しているので、常に前記ほぞ穴２が外気に曝され、束柱Ａの平ほぞが外気に曝され乾燥される。
また、前記通気孔３の底部は、外側面方向に向けて下り勾配面に形成されているので、前記ほぞ穴部分からの排水を可能としている。
したがって、本考案の通気構造を有する束石１は、風雨に晒されるような渡り廊下、ベランダ等に使用しても、束石１に形成した通気孔３を介して束柱Ａの平ほぞが空気乾燥されため、束柱Ａが腐食することがない。
【００１０】
本考案の通気構造を有する束石の他の実施例を図面に基づいて、以下に説明する。
図４に示すように、角錐台形状を有する束石１は御影石等の天然石から形成され、該束石１の上面中央に束柱Ａの平ほぞが嵌入する所要口径、所要深さのほぞ穴２を凹設する。
図５の縦断面図に示すように、前記ほぞ穴２の底面から垂直縦方向に貫通する垂直通気穴４を穿設し、該垂直通気穴４の下端部に束石１の外側面に連通する水平通気穴５を穿設してなる。
前記ほぞ穴２の垂直縦方向に貫通する垂直通気穴４の途中に束石１の外側面に貫通する通気孔３を穿設する。
【００１１】
前記通気孔３は、図５に示すように、一側面から他側面に一直線となるように貫通形成すれば通気が良好となる。
前記通気孔３は、この実施例では対向する２側面の２箇所であるが、それぞれの４側面に形成して４箇所とすることもできる。
図５に示すように、垂直通気穴４及び水平通気穴５からの通気及び排水を可能とする。
なお、この実施例では束石を角錐台形状としたが、角錐台形状に代えて円錐台形状としそれぞれ通気孔３を貫通形成することもできる。
【００１２】
束石１に束柱Ａを接合組立する場合は、図６に示すように、束石１のほぞ穴２に束柱Ａの平ほぞが嵌入され、束柱Ａが束石１に直立立設される。
前記ほぞ穴２の底部は、通気孔３、垂直通気穴４及び水平通気穴５と連通しているので、常に前記ほぞ穴２が外気に曝され、束柱Ａの平ほぞが外気に曝され乾燥される。
また、前記通気孔３の底部は、外側面方向に向けて下り勾配面に形成されているので、前記ほぞ穴部分からの排水を可能としている。
したがって、本考案の通気構造を有する束石１は、風雨に晒されるような渡り廊下、ベランダ等に使用しても、束石１に形成した通気孔３、垂直通気穴４及び水平通気穴５を介して束柱Ａの平ほぞが空気乾燥されため、束柱Ａが腐食することがない。
【図面の簡単な説明】
【００１３】
【図１】本考案の束石の斜視図である。
【図２】本考案の束石の透視断面を示す斜視図である。
【図３】本考案の束石と束柱の組立構造を示す斜視図である。
【図４】本考案の束石の他の実施例の斜視図である。
【図５】本考案の束石の他の実施例の断面図である。
【図６】本考案の束石と束柱の他の実施例の組立構造を示す斜視図である。
【符号の説明】
【００１４】
１  束石
２  ほぞ穴
３  通気孔
４  垂直通気穴
５  水平通気穴
【図１】
0003120920.tif 000003
【図２】
0003120920.tif 000004
【図３】
0003120920.tif 000005
【図４】
0003120920.tif 000006
【図５】
0003120920.tif 000007
【図６】
0003120920.tif 000008